(57)【要約】【課題】      固定電話又は携帯電話機と、無線ゾーンの圏外にある携帯電話機との間で良好な品質と低廉な料金による通話を可能にする。【解決手段】公衆回線網又はインターネットに接続している公衆回線網に接続した本装置のインターフェースに携帯電話機を接続させることにより、該携帯電話機の電話番号が自動的に交換機又はサーバー内のデータファイルに登録した固定電話番号に対応させて登録され、任意の電話機から該携帯電話機の電話番号が入力された場合には、移動体通信網に接続することなく対応する固定電話番号に直に着信するため、固定電話間の低廉な通話料金で通話が可能になるともに、良好な通話品質を得る。【選択図】    図１
2004187284.tif 000002
【特許請求の範囲】
【請求項１】
公衆回線網又はインターネットに接続している公衆回線網とのインターフェースと、
携帯電話機とのインターフェースと、
ＲＦ−ＩＤタグの情報読取機、あるいはそのものとのインターフェースと、
入力手段と、
表示手段と、
書き込み可能な読み出し専用記憶手段と、
一時記憶手段と、
制御手段を備える装置と、
交換機又はサーバー内の番号データファイルとによって構成され、
前記公衆回線網又はインターネットに接続している公衆回線網とのインターフェースは、有線、あるいは電磁波又は音波を利用した無線によるインターフェースアダプターあるいは構内交換機を介して公衆回線網と接続し、
前記携帯電話機とのインターフェースは、有線、あるいは電磁波又は音波を利用した無線によるインターフェースアダプターによって携帯電話機に接続し、
前記ＲＦ−ＩＤタグの情報読取機は、無線によって該情報読取機の読取可能域にＲＦ−ＩＤタグが到達したことを検知して書き込まれた情報、すなわちＲＦ・ＩＤコードを読み取り、
前記入力手段は、転送先メールアドレス又は転送先電話番号、あるいは接続している回線番号と交換機又はサーバーへの接続先番号を入力すると共に、書き込み可能な読み出し専用記憶手段に格納されている該情報と、携帯電話機とのインターフェースから得た携帯電話番号を、手動によって交換機あるいはサーバー内の番号データファイルに送信するトリガー信号を入力し、当該装置への携帯電話機の接続予定時刻あるいは解除予定時刻と、その報知先であるメールアドレス又は電話番号と、任意の転送順位を入力し、
表示手段は、送信した情報が前記番号データファイルに書き込まれた、あるいは削除されたことを表示し、
書き込み可能な読み出し専用記憶手段は、当該装置が接続している回線番号と交換機又はサーバーへの接続先番号を格納し、
一時記憶手段は、インターフェースあるいはＲＦ−ＩＤタグの情報読取機から得た情報を一時格納し、
制御手段は、前記各手段の制御を実行すると共に、書き込み可能な読み出し専用記憶手段と一時記憶手段に格納された情報を交換機あるいはサーバーに送信し、あるいは交換機又はサーバー内の番号データファイルに記載された情報を削除するコンピュータプログラ厶を実行し、
交換機又はサーバー内の番号データファイルは、任意の呼称、及び公衆回線網接続固定電話番号、及びインターネット接続ＩＰ電話番号、及び携帯電話番号、及びＲＦ−ＩＤコード、及びインターネットメールアドレス、及び携帯電話メールアドレス、及び当該装置への携帯電話機の接続の有無あるいは転送の可否を示す符号、及び内線番号、及び適用料金識別コードを関連付けて記述されるものであることを特徴とする通話料金節減装置及びシステム。
【請求項２】
請求項１記載の通話料金節減装置及びシステムであって、公衆回線網又はインターネットに接続している公衆回線網とのインターフェースは、機械的にあるいは電気的に接続の有無を検知するものであることを特徴とする通話料金節減装置及びシステム。
【請求項３】
請求項１記載の通話料金節減装置及びシステムであって、携帯電話機とのインターフェースは、機械的にあるいは電気的に接続の有無を検知するものであることを特徴とする通話料金節減装置及びシステム。
【請求項４】
請求項１記載の通話料金節減装置及びシステ厶であって、ＲＦ−ＩＤタグ情報読取機は、ＲＦ−ＩＤタグに携帯電話番号と関連付けられて、あるいは携帯電話機の利用者と関連付けられて電磁的に記述された識別コードを、該情報読取機の読取可能域にＲＦ−ＩＤタグが到達したことを検知して読み取るものであることを特徴とする通話料金節減装置及びシステム。
【請求項５】
請求項１記載の通話料金節減装置及びシステムであって、交換機又はサーバー内の番号データファイルに記述された、当該装置への携帯電話機の接続の有無あるいは転送の可否を示す符号は、入力手段から入力された命令信号によって任意に変更されるものであることを特徴とする通話料金節減装置及びシステム。
【請求項６】
請求項１記載の通話料金節減装置及びシステムであって、表示手段は、書き込み可能な読み出し専用記憶手段及び一時記憶手段に格納された情報を、交換機あるいはサーバー内の番号データファイルに書き込まれた、あるいは削除されたことを、交換機あるいはサーバーからの信号にもとづいて、光学的に表示することを特徴とする通話料金節減装置及びシステム。
【請求項７】
請求項１記載の通話料金節減装置及びシステムであって、入力手段による回線番号の入力に依存せず、交換機又はサーバーの回線番号識別機能を利用して、該回線番号に対応する番号データファイルを自動生成し、接続した携帯電話番号を該番号データファイルに自動的に送信して書き込むものであることを特徴とする通話料金節減装置及びシステム。
【請求項８】
請求項１記載の通話料金節減装置及びシステムであって、
制御手段は、携帯電話機とのインターフェースが検知した接続信号によって携帯電話番号を読み取り、あるいはＲＦ−ＩＤタグがＲＦ−ＩＤタグ情報読取機の読取可能域に到達したことを検知してＲＦ−ＩＤタグが有する情報を読み取って一時記憶手段に格納するコンピュータプログラ厶を実行し、
携帯電話番号あるいはＲＦ−ＩＤタグが有する情報が一時記憶手段に格納された時点で、当該装置が接続している回線番号と交換機又はサーバーの接続先番号を書き込み可能な読み取り専用記憶手段から読み出し、該接続先番号を発呼して一時記憶手段及び読み取り専用記憶手段内に格納されている情報を交換機あるいはサーバー内の番号データファイルに送信して書き込むコンピュータプログラムを起動し、
携帯電話機とのインターフェースの接続が解除された場合、あるいはＲＦ−ＩＤタグが情報読取機の読取可能域を離脱した場合には、対応する一時記憶手段によって、解除された携帯電話機の電話番号を特定して、交換機あるいはサーバー内の番号データファイルから該電話番号の削除を実行し、
当該装置への携帯電話機の接続予定時刻あるいは解除予定時刻が、書き込み可能な読み取り専用記憶手段に登録されている場合には、指定されたメールアドレス又は電話番号へテキストメールあるいは音声メールによって報知するコンピュータプログラムを起動するものであることを特徴とする通話料金節減装置及びシステム。
【発明の詳細な説明】
【技術分野】
【０００１】  固定電話もしくはＩＰ電話と携帯電話間の転送電話サービスに関する。
【背景技術】
【０００２】  本発明によって実現されるサービスに類似する転送サービスは、携帯電話機の携行者が、近傍又は任意の固定電話機に転送サービスを依頼する場合には、依頼主はまず転送先の固定電話番号を知る必要がある。さらに転送サービスを利用した場合の通話料金は、通話元から携帯電話までを通話元が支払い、携帯電話から転送先の固定電話までを転送サービス依頼者が支払うことになるので、双方とも高額な料金負担を強いられる。また、携帯電話機が無線ゾーンの圏外にある場合には転送サービスを利用することが出来ない。
【発明の開示】
【発明が解決しようとする課題】
【０００３】  固定電話機又はインターネット電話機又は携帯電話機から、携帯電話機携行者との間で良好な品質と、低廉な料金での通話を可能にする。
また、無線ゾーンの圏外にいる携帯電話携行者との通話を可能にする。
【課題を解決するための手段】
【０００４】  請求項１記載の発明は、公衆回線網又はインターネットに接続している公衆回線網とのインターフェースと、
携帯電話機とのインターフェースと、
ＲＦ−ＩＤタグの情報読取機、あるいはそのものとのインターフェースと、
入力手段と、
表示手段と、
書き込み可能な読み出し専用記憶手段と、
一時記憶手段と、
制御手段を備える装置と、
交換機又はサーバー内の番号データファイルとによって構成され、
前記公衆回線網又はインターネットに接続している公衆回線網とのインターフェースは、有線、あるいは電磁波又は音波を利用した無線によるインターフェースアダプターあるいは構内交換機を介して公衆回線網と接続し、
前記携帯電話機とのインターフェースは、有線、あるいは電磁波又は音波を利用した無線によるインターフェースアダプターによって携帯電話機に接続し、
前記ＲＦ−ＩＤタグの情報読取機は、無線によって該情報読取機の読取可能域にＲＦ−ＩＤタグが到達したことを検知して書き込まれた情報、すなわちＲＦ−ＩＤコードを読み取り、
前記入力手段は、転送先メールアドレス又は転送先電話番号、あるいは接続している回線番号と交換機又はサーバーへの接続先番号を入力すると共に、書き込み可能な読み出し専用記憶手段に格納されている該情報と、携帯電話機とのインターフェースから得た携帯電話番号を、手動によって交換機あるいはサーバー内の番号データファイルに送信するトリガー信号を入力し、当該装置への携帯電話機の接続予定時刻あるいは解除予定時刻と、その報知先であるメールアドレス又は電話番号と、任意の転送順位を入力し、
表示手段は、送信した情報が前記番号データファイルに書き込まれた、あるいは削除されたことを表示し、
書き込み可能な読み出し専用記憶手段は、当該装置が接続している回線番号と交換機又はサーバーへの接続先番号を格納し、
一時記憶手段は、インターフェースあるいはＲＦ−ＩＤタグの情報読取機から得た情報を一時格納し、
制御手段は、前記各手段の制御を実行すると共に、書き込み可能な読み出し専用記憶手段と一時記憶手段に格納された情報を交換機あるいはサーバーに送信し、あるいは交換機又はサーバー内の番号データファイルに記載された情報を削除するコンピュータプログラムを実行し、
交換機又はサーバー内の番号データファイルは、任意の呼称、及び公衆回線網接続固定電話番号、及びインターネット接続ＩＰ電話番号、及び携帯電話番号、及びＲＦ−ＩＤコード、及びインターネットメールアドレス、及び携帯電話メールアドレス、及び当該装置への携帯電話機の接続の有無あるいは転送の可否を示す符号、及び内線番号、及び適用料金識別コードを関連付けて記述されるものであるよう構成される。【０００５】  請求項２記載の発明による公衆回線又はインターネットに接続している公衆回線網とのインターフェースは、機械的にあるいは電気的に接続の有無を検知する端子を備えるものであるよう構成される。【０００６】  請求項３記載の発明による携帯電話機とのインターフェースは、機械的にあるいは電気的に接続の有無を検知する端子を備えるものであるよう構成される。【０００７】  請求項４記載のＲＦ−ＩＤタグ情報読取機は、いわゆるＲＦ−ＩＤリーダーと称せられるものであって、ＲＦ−ＩＤタグに携帯電話番号と関連付けられて、あるいは携帯電話機の利用者と関連付けられて電磁的に記述された識別コードを、該情報読取機の読取可能域にＲＦ−ＩＤタグが到達したことを検知して読み取るものであるよう構成される。【０００８】  請求項５記載の発明は、交換機又はサーバー内の番号データファイルに記述された、当該装置への携帯電話機の接続の有無あるいは転送の可否を示す符号は、入力手段から入力された命令信号によって任意に変更されるものであるよう構成される。【０００９】  請求項６記載の発明による表示手段は、書き込み可能な読み出し専用記憶手段及び一時記憶手段に格納された情報を、交換機あるいはサーバー内の番号データファイルに書き込まれた、あるいは削除されたことを、交換機あるいはサーバーからの信号にもとづいて、光学的に表示するものであるよう構成される。【００１０】  請求項７記載の発明は、入力手段による回線番号の入力に依存せず、交換機又はサーバーの回線番号識別機能を利用して、該回線番号に対応する番号データファイルを自動生成し、接続した携帯電話番号を該番号データファイルに自動的に送信して書き込むものであるよう構成される。【００１１】  請求項８記載の発明による制御手段は、携帯電話機とのインターフェースが検知した接続信号によって携帯電話番号を読み取り、あるいはＲＦ−ＩＤタグがＲＦ−ＩＤタグ情報読取機の読取可能域に到達したことを検知してＲＦ−ＩＤタグが有する情報を読み取って一時記憶手段に格納するコンピュータプログラ厶を実行し、
携帯電話番号あるいはＲＦ−ＩＤタグが有する情報が一時記憶手段に格納された時点で、当該装置が接続している回線番号と交換機又はサーバーの接続先番号を書き込み可能な読み取り専用記憶手段から読み出し、該接続先番号を発呼して一時記憶手段及び読み取り専用記憶手段内に格納されている情報を交換機あるいはサーバー内の番号データファイルに送信して書き込むコンピュータプログラ厶を起動し、
携帯電話機とのインターフェースの接続が解除された場合、あるいはＲＦ−ＩＤタグが情報読取機の読取可能域を離脱した場合には、対応する一時記憶手段によって、解除された携帯電話機の電話番号を特定して、交換機あるいはサーバー内の番号データファイルから該電話番号の削除を実行し、
当該装置への携帯電話機の接続予定時刻あるいは解除予定時刻が、書き込み可能な読み取り専用記憶手段に登録されている場合には、指定されたメールアドレス又は電話番号へテキストメールあるいは音声メールによって報知するコンピュータプログラムを起動するものであることを特徴とする通話料金節減装置及びシステムあるよう構成される。
【発明の効果】
【００１２】  本発明は、上記のように構成されているので、入力された携帯電話番号の転送先となる固定電話番号を、手動によって、あるいは自動的に交換機あるいはサーバー内の番号データファイルに登録し、本装置に接続された転送を依頼すべき携帯電話機の電話番号を手動によって、あるいは自動的に該番号データファイルに、転送先となる固定電話番号に対応させて登録する。本装置から携帯電話機の接続が解除された時には、自動的に該当する携帯電話番号を番号データファイルから削除するよう交換機あるいはサーバーに依頼する。【００１３】  また上記によって番号データファイルに記載された携帯電話番号を、公衆回線に接続された任意の固定電話機又はインターネット電話機あるいは携帯電話機から入力した場合であっても、交換機あるいはサーバー内の番号データファイル上で転送されるため、移動体通信網に接続されることなく、固定電話網もしくはインターネット電話網に接続されるので、低廉な通話料金による通話を可能にすると共に、無線ゾーンの圏外にいる携帯電話機の携行者との通話を実現する。
【発明を実施するための最良の形態】
【００１４】  任意の公衆回線に接続された当該装置が備える携帯電話機とのインターフェースを介して携帯電話機がドッキング、すなわち接続されたことを自動的に検知して、該携帯電話機の電話番号を読み取り、接続している回線上にある交換機又はサーバー内の番号データファイルに送信して登録し、前記携帯電話機への着信があった場合には、前記番号データファイル上で、当該装置が接続されている回線番号を含む転送先電話番号へ、任意に指定した優先順位に従って、着信先の番号変換、すなわち転送をおこなう。
【実施例１】
【００１５】  以下、本発明における実施の形態を図に基づいて説明する。
図１は本発明に係る通話料金節減装置の全体構成例を示す図であって、制御手段１、書き込み可能な読み出し専用記憶手段（以下ＲＯＭと略す）２、一時記憶手段（以下ＲＡＭと略す）３、入力手段４、表示手段５、公衆回線網又はインターネットに接続している公衆回線網とのインターフェース（以下、公衆回線網とのインターフェースと略す）６、携帯電話機とのインターフェース７、ＲＦ−ＩＤ読取機あるいはそのもののインターフェース８を備える。構内交換機が使用されている場合には、公衆回線網とのインターフェース６に構内交換機とのインターフェースが含まれる。【００１６】  制御手段１は携帯電話機とのインターフェース７によって携帯電話機の接続の有無あるいはＲＦ−ＩＤタグが読取機８の情報読取可能域に到達したことを検知して、携帯電話機が保有する携帯電話番号、あるいはＲＦ−ＩＤタグから読み取った情報すなわちＩＤコードをＲＡＭ３に書き込むコンピュータプログラムを実行し、ＲＡＭ３への書き込み完了後、自動的に交換機あるいはサーバーに接続して、ＲＡＭ３に書き込まれた携帯電話番号を交換機あるいはサーバー内の番号データファイルに対して送信するコンピュータプログラムを実行する。【００１７】  さらに携帯電話機とのインターフェース７によって携帯電話機の接続が解除された、あるいはＲＦ−ＩＤタグが読取機の読み取り可能範囲を離脱したことを検知したときは、該インターフェースに対応するＲＡＭ３によって、接続を解除された携帯電話番号を特定して、交換機あるいはサーバーに対して該携帯電話番号を番号データファイルから削除するよう要求するコンピュータプログラムを実行し、交換機あるいはサーバーからの削除完了信号にもとづいて、例えばＬＥＤ、ディスプレイ等の表示手段５あるいは図には示していないが放音手段を介して削除されたことを音声によって報知するコンピュータプログラムを実行する。【００１８】  図２は本発明に係る交換機又はサーバー内に設けられた番号データファイルの構造例を示す図であって、内線番号９、固定電話番号１０、ＩＰ電話番号１１、任意の登録呼称１２、ＲＦ−ＩＤコード１３、携帯電話機のドッキング状態あるいは転送可能状態を示すステータス１４、携帯電話番号１５、ＰＣメールアドレス１６、携帯メールアドレス１７、適用料金識別コード１８が関連付けられながら記述される。【００１９】  内線番号９は、企業その他の団体や組織において、同一市内局番をこえて内線電話を設ける場合には、地域コードを付加し、登録された固定電話番号１０ごとに複数の利用者が存在すると想定されるのであれば任意の枝番を付加してもよい。【００２０】  ＲＦ−ＩＤコード１３は、携帯電話番号あるいはその利用者である個人に関連付けて付与されたものであり、ＲＦ−ＩＤタグの情報読取機８の読取可能域にＲＦ−ＩＤタグが到達したことを検知して、該タグの情報を読み取って、携帯電話番号あるいは個人を特定するものである。【００２１】  ステータス１４は携帯電話のドッキング有無、すなわち転送可能状態にあるか否かに連動して表示されるが、当該装置の入力手段、あるいは交換機又はサーバーに接続しているコンピュータネットワーク上にあるアクセス権を有する端末装置からの操作によって任意に転送の可否を変更することを認容するものである。【００２２】  適用料金識別コード１６は通信事業者ごとに設定している固定電話及び携帯電話間の通話料金体系に基づいて付せられる識別コードであって、発呼時に電話番号に付加されるものである。【００２３】  図面には示していないが、入力手段４から入力された転送の優先順位を番号データファイルに記述して、指定された優先順位に従って転送を実行するか、あるいは予めデフォルト値として、例えば、料金の安い回線順位等を定めて転送を実行する。
【実施例２】
【００２４】  図面には示していないが、請求項５記載の表示手段に代えて、書き込み可能な読み出し専用記憶手段及び一時記憶手段に格納された情報を、交換機あるいはサーバー内の番号データファイルに書き込まれた、あるいは削除されたことを、交換機あるいはサーバーからの信号にもとづいて、放音手段を介して音声によって報知する。
【産業上の利用可能性】
【００２５】  インターネットの普及とデジタル通信技術の発達にともない、文字列、音声、画像間のデータとしての区別なく、低廉な料金による通信が可能になる一方、携帯電話機を利用する音声通話を含むデータ通信は、有限な資源である無線帯域を利用しているため、電波の性質に由来する技術的制約やコストの制約を避けることは出来ない。
本発明は、このような状況下にあっても、コストや通話品質、通話可能域に制約のある携帯電話機への着信を、従前よりの固定電話にのみこだわらず、任意の転送先、例えば、ＩＰ電話番号やＰＣメールアドレス等を指定して転送することにより、通話不能域にあっても着信を逃すことなく、ビジネス上の機会損失を最小限に抑えると共に、企業などにおいては、社員が携行する携帯電話機が当該装置へドッキング状態にあるか否か、あるいはドッキング予定時刻又はドッキング解除予定時刻の報知によって、その在否を容易に確認することが出来る。
【図面の簡単な説明】
【００２６】
【図１】  本発明による通話料金節減装置の全体構成例を示す図である。
【図２】  本発明による番号データファイルの構造例を示す図である。
【符号の説明】
【００２７】    １  制御装置
２  ＲＯＭ
３  ＲＡＭ
４  入力装置
５  表示装置
６  公衆回線網とのインターフェース
７  携帯電話機とのインターフェース
８  ＲＦ−ＩＤタグの情報読取機又はそのものへのインターフェース
９  内線番号
１０  固定電話番号
１１  ＩＰ電話番号
１２  任意の登録呼称
１３  ＲＦ−ＩＤコード
１４  携帯電話の接続の有無あるいは転送可否状態を示すステータス
１５  携帯電話番号
１６  ＰＣメールアドレス
１７  携帯メールアドレス
１８  適用料金識別コード
【図１】
2004187284.tif 000003
【図２】
2004187284.tif 000004